(57)【要約】【課題】壁面と雨水集水ますとの間隔に合わせて出寸法の調整が可能で、風等により集水ます本体が外れることのない雨水集水ますの取り付け構造を提供する。【解決手段】壁面Ｗに取り付けられる壁面取り付け部材１と集水ます本体４に内嵌される出寸法調整部材２とから構成され、上記壁面取り付け部材１は壁面固定部１１と内部を排水管が挿通する接続スリーブ１２とからなるとともに、該接続スリーブ１２の外側面にはその横方向に係合部１３が延設され、上記出寸法調整部材２は集水ます本体４の排水管挿入孔４１に嵌入される接続筒部２２と該接続筒部に付設される鍔状係止部２１とからなり、上記接続筒部２２の内側面にはその横方向に上記係合部１３にスライド自在に係合するスライド係合部２３が延設される。【選択図】図４
2006348622.tif 000002
【特許請求の範囲】
【請求項１】
壁面に取り付けられる壁面取り付け部材と集水ます本体に内嵌される出寸法調整部材とから構成され、上記壁面取り付け部材は壁面固定部と内部を排水管が挿通する接続スリーブとからなるとともに、該接続スリーブの外側面にはその横方向に係合部が延設され、上記出寸法調整部材は集水ます本体の排水管挿入孔に嵌入される接続筒部と該接続筒部に付設される鍔状係止部とからなり、上記接続筒部の内側面にはその横方向に上記係合部にスライド自在に係合するスライド係合部が延設された雨水集水ますの取り付け構造。
【請求項２】
上記接続スリーブの外側面の横方向に延設される係合部が鋸歯状であり、上記接続筒部の内側面の横方向に延設されるスライド係合部も鋸歯状である請求項１に記載の雨水集水ますの取り付け構造。
【請求項３】
上記係合部とスライド係合部とが弾性係止する請求項１に記載の雨水集水ますの取り付け構造。
【発明の詳細な説明】
【技術分野】
【０００１】
本発明は、建物の壁面に取り付けられ、バルコニー等からの雨水を排出する排水管を集水ます本体に取り付ける雨水集水ますの取り付け構造に関する。
【背景技術】
【０００２】
従来、バルコニーや陸屋根等からの雨水を排出する排水管を建物の壁面を貫通して設け、この排水管と上記集水ます本体の側部より延設した接続管とを接続固定して雨水を排出する構造は種々知られており、例えば、下記特許文献１に記載の技術があげられる。下記特許文献１には、その第１図、第３図から明らかなように、接続管１１の係合片１３を、押えリング３によって回動自在に押えられた取付板２の係合溝２１に挿入して該取付板２を３０°程度回動させ、排水管４と接続管１１とを接続する構造が開示されている。
【特許文献１】実公平６−４２０２５号公報（第１〜３頁、第１〜４図）
【発明の開示】
【発明が解決しようとする課題】
【０００３】
しかしながら、特許文献１に記載の構造では、施工現場によって異なる雨水集水ますの側部と壁面との間隔に合わせて施工することは困難であり、また、集水ます本体が固定されていないため、風等により排水管から外れるおそれがある。本発明はこのような問題を解決して、建物の壁面に取り付けられ、施工現場によって異なる竪樋の控え金具の寸法に対応して出寸法を調整することが可能で、風等の外力、あるいは竪樋の寒暖による伸縮等により排水管から外れることのない雨水集水ますの取り付け構造を提供することを、その課題とする。
【課題を解決するための手段】
【０００４】
上記課題を解決するために、本発明においては、つぎのような技術的手段を講じている。すなわち、本発明によれば、壁面に取り付けられる壁面取り付け部材と集水ます本体に内嵌される出寸法調整部材とから構成され、上記壁面取り付け部材は壁面固定部と内部を排水管が挿通する接続スリーブとからなるとともに、該接続スリーブの外側面にはその横方向に係合部が延設され、上記出寸法調整部材は集水ます本体の排水管挿入孔に嵌入される接続筒部と該接続筒部に付設される鍔状係止部とからなり、上記接続筒部の内側面にはその横方向に上記係合部にスライド自在に係合するスライド係合部が延設された雨水集水ますの取り付け構造が提供される。
【０００５】
上記接続スリーブの外側面の横方向に延設される係合部が鋸歯状であり、上記接続筒部の両内側面の横方向に延設されるスライド係合部も鋸歯状であることが好ましい。また、上記係合部とスライド係合部とが弾性係止することが好ましい。例えば上記係合部およびスライド係合部は弾性を有する材料でそれぞれ接続スリーブおよび接続筒部に一体的に成型されることが好ましい。弾性を有する材料としては、例えば、硬質ポリ塩化ビニル、ポリプロピレン、ＡＢＳ樹脂等の合成樹脂が好適に用いられる。
【発明の効果】
【０００６】
請求項１に記載の発明にかかる雨水集水ますの取り付け構造は上記のとおりであり、壁面取り付け部材と出寸法調整部材とがスライド自在に係合するため、施工現場によって異なる竪樋の控え金具の寸法に対応して出寸法を調整することが可能となる。また、排水管は上記雨水集水ますの取り付け構造の内部を挿通するため、直接外部に曝されることがなく外観もよくなるとともに、排水管と集水ます本体との接続部から、万一水が飛散しても壁面を汚すことを防げる。
【０００７】
上記接続スリーブの外側面の横方向に延設される係合部と、上記接続筒部の内側面の横方向に延設されるスライド係合部とを鋸歯状とすることにより、鋸歯の山と谷がスライド自在に噛み合って出寸法を調整することができる。また、上記弾性を有する材料から形成された係合部とスライド係合部とが弾性的に係止するため、集水ます本体が本発明の雨水集水ますの取り付け構造を介してしっかりと壁面に固定され、風等により排水管から外れることを防ぐ。
【発明を実施するための最良の形態】
【０００８】
以下、本発明の実施形態について図面を参照して、詳細に説明する。図１は、本発明にかかる雨水集水ますの取り付け構造を示す分解斜視図である。図１に示されているように、上記雨水集水ますの取り付け構造は、図外壁面に取り付けられる壁面取り付け部材１と出寸法調整部材２とからなっている。壁面取り付け部材１は壁面固定部１１と接続スリーブ１２とからなり、接続スリーブ１２の両外側面には鋸歯状の係合部１３が横方向に延設され、壁面固定部１１には固定用のビス孔１１１が設けられている。
【０００９】
上記出寸法調整部材２は、後記図３に示す集水ます本体４に内嵌され、集水ます本体４に設けられた排水管挿入孔４１に嵌入する接続筒部２２と接続筒部２２に付設された鍔状係止部２１とからなり、接続筒部２２の両内側面にはスライド係合部２３が横方向に延設されている。上記係合部１３は弾性を有する合成樹脂からなるとともに壁面取り付け部材１と一体的に成型され、スライド係合部２３も同様に出寸法調整部材２に弾性を有する合成樹脂で一体的に成型されるため、係合部１３とスライド係合部２３とは弾性係合するとともに、しっかりと弾性係止する。
【００１０】
つぎに、本発明にかかる雨水集水ますの取り付け構造の施工について説明する。図２は建物の壁面Ｗに上記壁面取り付け部材１をビス５により固定した状態を示す部分断面側面図である。図２において、建物の壁面Ｗを貫通した排水管３は壁面Ｗに固定された壁面取り付け部材１の接続スリーブ１２を貫き、その先端部は接続スリーブ１２から突出する。
【００１１】
一方、上記出寸法調整部材２は図３に示すように、集水ます本体４に矢印の方向に内嵌され、その接続筒部２２が集水ます本体４に設けられた排水管挿入孔４１に嵌入されるとともに、鍔状係止部２１によって係止される。ついで、図４に示すように、集水ます本体４に内嵌した出寸法調整部材２と、建物の壁面Ｗにビス５で固定された壁面取り付け部材１とを接続筒部２２を接続スリーブ１２に外嵌することにより接続する。このとき、接続筒部２２の両内側面に延設された鋸歯状のスライド係合部２３と、接続スリーブ１２の両外側面に延設された鋸歯状の係合部１３とをスライド係合させ、排水管３の先端部が集水ます本体４に設けられた排水管挿入孔４１に挿入するように位置決めする。なお、符号６は竪樋を示す。
【００１２】
図５は、上記のようにして壁面取り付け部材１と出寸法調整部材２とを接続した状態を示す部分断面側面図である。図５に示されているように、竪樋６を壁面Ｗに固定する控え金具７の寸法に対応し、集水ます本体４と壁面Ｗとの間隔に応じて出寸法調整部材２の出寸法をスライド自在に調整し、壁面取り付け部材１と接続できることが明らかである。このようにすることによって排水管３が本発明の雨水集水ますの取り付け構造によって覆われ、外部から見えないため意匠的にも優れたものとすることができる。
【図面の簡単な説明】
【００１３】
【図１】本発明にかかる雨水集水ますの取り付け構造を示す分解斜視図である。
【図２】壁面取り付け部材を壁面にビス固定した状態を示す部分断面側面図である。
【図３】出寸法調整部材を集水ます本体に内嵌する操作を示す説明図である。
【図４】集水ます本体に内嵌した出寸法調整部材と壁面にビス固定した壁面取り付け部材と接続する操作を示す説明図である。
【図５】壁面取り付け部材と出寸法調整部材とを接続した状態を示す部分断面側面図である。
【符号の説明】
【００１４】
１          壁面取り付け部材
１１        壁面固定部
１１１      ビス孔
１２        接続スリーブ
１３        係合部
２          出寸法調整部材
２１        鍔状係止部
２２        接続筒部
２３        スライド係合部
３          排水管
４          集水ます本体
４１        排水管挿入孔
５          ビス
６          竪樋
７          控え金具
Ｗ          壁面
【図１】
2006348622.tif 000003
【図２】
2006348622.tif 000004
【図３】
2006348622.tif 000005
【図４】
2006348622.tif 000006
【図５】
2006348622.tif 000007